(57)【特許請求の範囲】
【請求項１】
上面と側面とを備える筐体構造を有する装置本体と、
前記装置本体に収容され、用紙に画像を形成する画像形成手段と、
前記装置本体の一側面に設けられる第１用紙排出口と、
前記第１用紙排出口より上方であって、前記上面の近傍において前記一側面に設けられる第２用紙排出口と、
前記画像形成手段から前記第１用紙排出口に向けて用紙を搬送する主搬送路と、
前記主搬送路から分岐して、下方から上方に向かいながら前記第２用紙排出口へ用紙を搬送する副搬送路と、
前記副搬送路の用紙搬送方向上流側において前記用紙搬送方向と直交する方向に延びる回動支点を有し、前記副搬送路の上面壁を形成し、前記回動支点回りに回動して前記副搬送路から離間することで前記副搬送路を開放可能なガイド部材と、
前記装置本体の内部に形成され、上方に前記装置本体の上面に形成された開口部を有し、前記ガイド部材が回動可能に配置される空間部と、
前記装置本体の上面における前記ガイド部材と対向する部分に開閉自在に設けられ、前記開口部を閉止する閉姿勢と、前記開口部を介して前記ガイド部材の上部を前記装置本体の外部に開放する開姿勢との間で姿勢変更可能なカバーと、
前記副搬送路が閉じる方向に前記ガイド部材を付勢する付勢部材と、
を備え、
前記カバーの前記開姿勢において、前記ガイド部材が前記空間部において前記付勢部材の付勢力に抗して前記回動支点回りに回動されると、前記副搬送路が前記開口部を介して前記装置本体の外部に開放される画像形成装置。
【請求項２】
前記カバーは、前記ガイド部材から見て前記副搬送路の前記用紙搬送方向下流側であって、かつ、前記第２用紙排出口の上方に配置された開閉支点を有し、前記第２排出口の上方において前記装置本体の前記一側面の一部を構成し、前記開閉支点回りに上方に回動することによって前記開姿勢となるものである請求項１に記載の画像形成装置。
【請求項３】
前記装置本体の上面に載置された当該上面に対して開閉可能な第２装置本体を更に備え、前記第２装置本体はその下面における前記カバーと対向する角に面取り部を有するものである請求項２に記載の画像形成装置。
【請求項４】
前記副搬送路の前記用紙搬送方向上流側に配置され、前記用紙を搬送する第１搬送ローラー対と、
前記副搬送路の前記用紙搬送方向下流側に配置され、前記用紙を搬送する第２搬送ローラー対と、を更に有し、
前記第１搬送ローラー対は、回転駆動される第１駆動ローラーと、前記副搬送路を挟んで前記第１駆動ローラーに対向して配置され、前記第１駆動ローラーに従動して回転する第１従動ローラーと、を備え、
前記第２搬送ローラー対は、回転駆動される第２駆動ローラーと、前記副搬送路を挟んで前記第２駆動ローラーに対向して配置され、前記第２駆動ローラーに従動して回転する第２従動ローラーと、を備え、
前記第１従動ローラーおよび前記第２従動ローラーは、前記ガイド部材に回転可能に支持され、
前記ガイド部材が前記回動支点回りに回動して前記副搬送路から離間すると、前記第１従動ローラーおよび前記第２従動ローラーが、前記第１駆動ローラーおよび前記第２駆動ローラーから離間し、
前記ガイド部材は、前記カバーの前記開姿勢において、前記第１従動ローラーおよび前記第２従動ローラーの上方を覆う形状を備える請求項１乃至３の何れか１項に記載の画像形成装置。
【発明の詳細な説明】
【技術分野】
【０００１】
用紙の排出路を開放するためのカバーを備えた画像形成装置に関するものである。
【背景技術】
【０００２】
画像形成後の用紙にパンチング処理やステイプル処理等の後処理を施す後処理装置が、コピー機に対してオプションで後付けされる場合がある。この場合、コピー機の排出口から出た用紙は直接後処理装置へと搬送されるが、後処理を行わない場合も後処理装置へ搬送され、当該装置の排出トレイに排出されていた。従って、排出のための搬送路が長くなることにより排紙時間の増加や、後処理装置が故障すると排紙が行われないといった問題があった。
【０００３】
そこで、特許文献１に記載されているように、排出口を複数設けた装置が提案されている。複数ある排出口を、後処理装置へ搬送する排出口とコピー機から直接排出する排出口とに使い分けることにより、後処理を行わない場合は後処理装置を経由することなくコピー機から直接用紙を排出させることができる。
【先行技術文献】
【特許文献】
【０００４】
【特許文献１】特開平８−６７３９５号公報
【発明の概要】
【発明が解決しようとする課題】
【０００５】
このような構成のコピー機において、排出口付近でジャムが発生すると、ユーザーはコピー機の側面（後処理装置が設置される側の面）のカバーを開放して詰まった紙を取り出していた。つまり、コピー機と後処理装置の接続を解除して後処理装置を移動した後、コピー機の側面カバーを開放して紙を取り出すといった動作が必要であり、ジャム処理性が悪いという問題があった。
【０００６】
本発明は、上記の問題を解決するためになされたもので、排出口付近でジャムが発生したときのジャム処理性を良くした画像形成装置を提供することを目的とするものである。
【課題を解決するための手段】
【０００７】
請求項１に記載の発明の画像形成装置は、上面と側面とを備える筐体構造を有する装置本体と、前記装置本体に収容され、用紙に画像を形成する画像形成手段と、前記装置本体の一側面に設けられる第１用紙排出口と、前記第１用紙排出口より上方であって、前記上面の近傍において前記一側面に設けられる第２用紙排出口と、前記画像形成手段から前記第１用紙排出口に向けて用紙を搬送する主搬送路と、前記主搬送路から分岐して、下方から上方に向かいながら前記第２用紙排出口へ用紙を搬送する副搬送路と、前記副搬送路の用紙搬送方向上流側において前記用紙搬送方向と直交する方向に延びる回動支点を有し、前記副搬送路の上面壁を形成し、前記回動支点回りに回動して前記副搬送路から離間することで前記副搬送路を開放可能なガイド部材と、前記装置本体の内部に形成され、上方に前記装置本体の上面に形成された開口部を有し、前記ガイド部材が回動可能に配置される空間部と、前記装置本体の上面における前記ガイド部材と対向する部分に開閉自在に設けられ、前記開口部を閉止する閉姿勢と、前記開口部を介して前記ガイド部材の上部を前記装置本体の外部に開放する開姿勢との間で姿勢変更可能なカバーと、前記副搬送路が閉じる方向に前記ガイド部材を付勢する付勢部材と、を備え、前記カバーの前記開姿勢において、前記ガイド部材が前記空間部において前記付勢部材の付勢力に抗して前記回動支点回りに回動されると、前記副搬送路が前記開口部を介して前記装置本体の外部に開放されるものである。
【０００８】
この構成によれば、副搬送路においてジャムが発生したとき、ユーザーはカバー開放後、ガイド部材を回動支点回りに回動することによって副搬送路を開放することができる。これにより、副搬送路に詰まっている用紙を取り除くことができ、ジャム処理を簡単に行
うことができる。また、この構成によれば、ガイド部材が回動支点回りに回動することによってガイド部材が副搬送路から離間するため副搬送路を外部に開放することができる。これにより、副搬送路に詰まっている用紙を取り除くことができ、ジャム処理を簡単に行うことができる。
【０００９】
また、請求項２に記載の発明は、請求項１に記載の画像形成装置であって、前記カバーは、前記ガイド部材から見て前記副搬送路の前記用紙搬送方向下流側であって、かつ、前記第２用紙排出口の上方に配置された開閉支点を有し、前記第２排出口の上方において前記装置本体の前記一側面の一部を構成し、前記開閉支点回りに上方に回動することによって前記開姿勢となるものである。
【００１０】
この構成によれば、副搬送路においてジャムが発生したら、ユーザーは即座にカバーを開放することができ、そしてガイド部材を回動することによって副搬送路に詰まっている用紙を取り除くことができる。
【００１１】
また、請求項３に記載の発明は、請求項２に記載の画像形成装置であって、前記装置本体の上面に載置された当該上面に対して開閉可能な第２装置本体を更に備え、前記第２装置本体はその下面における前記カバーと対向する角に面取り部を有するものである。
【００１２】
この構成によれば、カバーの先端縁が第２装置本体の角部と干渉しないため、第２装置本体の開閉に関わらずカバーを開けることができる。また、カバーを開けたときの開口部を広く確保することができ、開口部から副搬送路へ手指を入れやすくすることができる。
【００１３】
また、請求項４に記載の発明は、請求項１乃至３の何れか１項に記載の画像形成装置であって、前記副搬送路の前記用紙搬送方向上流側に配置され、前記用紙を搬送する第１搬送ローラー対と、前記副搬送路の前記用紙搬送方向下流側に配置され、前記用紙を搬送する第２搬送ローラー対と、を更に有し、前記第１搬送ローラー対は、回転駆動される第１駆動ローラーと、前記副搬送路を挟んで前記第１駆動ローラーに対向して配置され、前記第１駆動ローラーに従動して回転する第１従動ローラーと、を備え、前記第２搬送ローラー対は、回転駆動される第２駆動ローラーと、前記副搬送路を挟んで前記第２駆動ローラーに対向して配置され、前記第２駆動ローラーに従動して回転する第２従動ローラーと、を備え、前記第１従動ローラーおよび前記第２従動ローラーは、前記ガイド部材に回転可能に支持され、前記ガイド部材が前記回動支点回りに回動して前記副搬送路から離間すると、前記第１従動ローラーおよび前記第２従動ローラーが、前記第１駆動ローラーおよび前記第２駆動ローラーから離間し、前記ガイド部材は、前記カバーの前記開姿勢において、前記第１従動ローラーおよび前記第２従動ローラーの上方を覆う形状を備えるものである。
【００１４】
この構成によれば、画像形成装置は、第１搬送ローラー対および第２搬送ローラー対を備える。
【発明の効果】
【００１５】
この発明によれば副搬送路においてジャムが発生したとき、ユーザーはカバー開放後、ガイド部材を回動支点回りに回動することによって副搬送路を開放することができる。これにより、副搬送路に詰まっている用紙を取り除くことができ、ジャム処理を簡単に行うことができる。
【図面の簡単な説明】
【００１６】
【図１】本発明の一実施形態に係る画像形成装置の内部構造を示す断面図。
【図２】第１、第２排出路の構造を示す断面図。
【図３】第２排出路の構造を示す断面図。
【図４】第２排出路の構造を示す断面図。
【図５】第２排出路の構造を示す斜視図。
【図６】自動原稿給送装置の面取り部を説明するため斜視図。
【発明を実施するための形態】
【００１７】
以下、図面に基づいて、本発明の実施形態につき詳細に説明する。図１は、本発明の一実施形態に係る画像形成装置１の内部構造を示す断面図である。ここでは、画像形成装置１として複写機を例示するが、画像形成装置は、プリンター、ファクシミリ装置、或いは、これらの機能を備える複合機であってもよい。
【００１８】
画像形成装置１は、略直方体形状の筐体構造を有する装置本体１０と、装置本体１０上に配置される自動原稿給送装置２０とを備える。装置本体１０の内部には、複写する原稿画像を光学的に読み取る読取ユニット２５と、用紙に画像形成処理を行う画像形成部３０と、画像形成部３０へ搬送される用紙を貯留する給紙部４０と、用紙を給紙部４０から画像形成部３０を経由して用紙排出口１０Ｅまで搬送する搬送経路５０とが収容されている。
【００１９】
自動原稿給送装置２０は、装置本体１０の上面１０Ｔに開閉自在に取り付けられている。自動原稿給送装置２０は、装置本体１０における自動原稿読取位置（第１コンタクトガラス２４１が組み付けられた位置）に向けて、複写される原稿を自動給送する。一方、ユーザーが手置きで原稿を所定の原稿読取位置（第２コンタクトガラス２４２の配置位置）に載置する場合は、自動原稿給送装置２０は上方に開けられる。自動原稿給送装置２０は、原稿が載置される原稿トレイ２１と、原稿を自動原稿読取位置を経由して搬送する原稿搬送部２２と、読取後の原稿が排出される原稿排出トレイ２３とを含む。
【００２０】
また、自動原稿給送装置２０の装置の左側面１０Ｌ側であってカバー７４に対向する角は面取り加工が施されており、この部分を面取り部２９という。この面取り部２９については後ほど詳しく説明する。
【００２１】
読取ユニット２５は、装置本体１０の上面の自動原稿給送装置２０から自動給送される原稿の読取用の第１コンタクトガラス２４１、又は手置きされる原稿の読取用の第２コンタクトガラス２４２を通して、原稿の画像を光学的に読み取る。読取ユニット２５内には、光源、移動キャリッジ、反射ミラー等を含む走査機構と、撮像素子とが収容されている（図略）。走査機構は、原稿に光を照射し、原稿を反射した反射光を撮像素子に導く。撮像素子は、前記反射光をアナログ電気信号に光電変換する。前記アナログ電気信号は、Ａ／Ｄ変換回路でデジタル電気信号に変換された後、画像形成部３０に入力される。
【００２２】
画像形成部３０は、トナー画像を生成しこれを用紙上に転写する作像部３１と、前記トナー像を用紙に定着させる定着部３６とを含む。作像部３１は、フルカラーのトナー像を形成するために、イエロー（Ｙ）、マゼンタ（Ｍ）、シアン（Ｃ）及びブラック（Ｂｋ）の各トナー像を形成する４つのユニット３２Ｙ、３２Ｍ、３２Ｃ、３２Ｂｋを含む画像形成ユニット３２と、画像形成ユニット３２の上に隣接して配置された中間転写ユニット３３と、中間転写ユニット３３上に配置されたトナー補給部３４とを含む。
【００２３】
各画像形成ユニット３２Ｙ、３２Ｍ、３２Ｃ、３２Ｂｋは、感光体ドラム３２１と、この感光体ドラム３２１の周囲に配置された、帯電器３２２、露光器３２３、現像装置３２４、一次転写ローラー３２５及びクリーニング装置３２６とを含む。
【００２４】
感光体ドラム３２１は、その軸回りに回転し、その周面に静電潜像及びトナー像が形成される。感光体ドラム３２１としては、アモルファスシリコン（ａ−Ｓｉ）系材料を用いた感光体ドラムを用いることができる。帯電器３２２は、感光体ドラム３２１の表面を均一に帯電する。露光器３２３は、レーザー光源とミラーやレンズ等の光学系機器とを有し、感光体ドラム３２１の周面に、原稿画像の画像データに基づく光を照射して、静電潜像を形成する。
【００２５】
現像装置３２４は、感光体ドラム３２１上に形成された静電潜像を現像するために、感光体ドラム３２１の周面にトナーを供給する。現像装置３２４は、２成分現像剤用のものであり、攪拌ローラー、磁気ローラー、及び現像ローラーを含む。攪拌ローラーは、２成分現像剤を攪拌しながら循環搬送することで、トナーを帯電させる。磁気ローラーの周面には２成分現像剤層が担持され、現像ローラーの周面には、磁気ローラーと現像ローラーとの間の電位差によってトナーが受け渡されることにより形成されたトナー層が担持される。現像ローラー上のトナーは、感光体ドラム３２１の周面に供給され、前記静電潜像が現像される。
【００２６】
一次転写ローラー３２５は、中間転写ユニット３３に備えられている中間転写ベルト３３１を挟んで感光体ドラム３２１とニップ部を形成し、感光体ドラム３２１上のトナー像を中間転写ベルト３３１上に一次転写する。クリーニング装置３２６は、クリーニングローラー等を有し、トナー像転写後の感光体ドラム３２１の周面を清掃する。
【００２７】
中間転写ユニット３３は、中間転写ベルト３３１、駆動ローラー３３２、従動ローラー３３３及びテンションローラー３３４を備える。中間転写ベルト３３１は、これらローラー３３２、３３３及び３３４に架け渡された無端ベルトであって、中間転写ベルト３３１の外周面には、複数の感光体ドラム３２１からトナー像が重ね塗りされる（一次転写）。駆動ローラー３３２は中間転写ベルト３３１を周回させるための駆動力が付与されるローラーであり、その周面に対向して二次転写ローラー３５が配置されている。駆動ローラー３３２と二次転写ローラー３５とのニップ部は、中間転写ベルト３３１に重ね塗りされたフルカラーのトナー像を用紙に転写する二次転写部３５Ａとなる。尚、従動ローラー３３３は、中間転写ベルト３３１の周回に応じて従動するローラー、テンションローラー３３４は中間転写ベルト３３１に所定の張力を付与するローラーである。
【００２８】
トナー補給部３４は、イエロー用トナーコンテナ３４Ｙ、マゼンタ用トナーコンテナ３４Ｍ、シアン用トナーコンテナ３４Ｃ及びブラック用トナーコンテナ３４Ｂｋを含む。これらトナーコンテナ３４Ｙ、３４Ｃ、３４Ｍ及び３４Ｂｋは、それぞれ各色のトナーを貯留するものであり、ＹＭＣＢｋ各色に対応する画像形成ユニット３２Ｙ、３２Ｍ、３２Ｃ及び３２Ｂｋの現像装置３２４に、図略の供給経路を通して各色のトナーを供給する。
【００２９】
定着部３６は、誘導加熱方式で加熱される定着ベルトを外周に備えた定着ローラー３６１と、該定着ローラー３６１に押圧当接されて定着ニップ部を形成する加圧ローラー３６２とを含む。上記二次転写部３５Ａにおいてトナー像が二次転写された用紙は、上記定着ニップ部を通過し、加熱及び加圧されることで、トナー像が用紙表面に定着される。
【００３０】
給紙部４０は、画像形成処理が施される用紙を収容する２段の給紙カセット４０Ａ及び４０Ｂを備える。これら給紙カセット４０Ａ及び４０Ｂは、装置本体１０の前方から手前方向に引出可能である。給紙カセット４０Ａ及び４０Ｂは、自動給紙用に設けられたカセットであるが、装置本体１０の右側面１０Ｒには、手差し給紙用の給紙トレイ４６も設けられている。給紙トレイ４６は、その下端部において装置本体１０に対して開閉自在に取り付けられている。ユーザーは、手差し給紙を行う場合、図示の通り給紙トレイ４６を開き、その上に用紙を載置する。
【００３１】
給紙カセット４０Ａ（４０Ｂ）は、複数の用紙が積層されてなる用紙束を収納する用紙収容部４１と、前記用紙束を給紙のためにリフトアップするリフト板４２とを備える。給紙カセット４０Ａ（４０Ｂ）の右端側の上部には、ピックアップローラー４３と、給紙ローラー４４とリタードローラー４５とのローラー対とが配置されている。ピックアップローラー４３及び給紙ローラー４４の駆動により、給紙カセット４０Ａ内の用紙束の最上層の用紙が１枚ずつ繰り出され、搬送経路５０の上流端へ搬入される。一方、給紙トレイ４６に載置された用紙は、同様にピックアップローラー４６１及び給紙ローラー４６２の駆動によって、搬送経路５０へ搬入される。
【００３２】
搬送経路５０は、給紙部４０から作像部３１を経由して定着部３６の出口まで用紙を搬送する主搬送路５０Ａと、用紙に対して両面印刷を行う場合に片面印刷された用紙を作像部３１に戻すための反転搬送路５０Ｂと、主搬送路５０Ａの下流端から反転搬送路５０Ｂの上流端へ用紙を向かわせるためのスイッチバック搬送路５０Ｃと、主搬送路５０Ａの下流端から装置本体１０の左側面１０Ｌに設けられた用紙排出口１０Ｅまで用紙を水平方向に搬送する水平搬送路５０Ｄとを含む。
【００３３】
主搬送路５０Ａの、二次転写部３５Ａよりも上流側には、レジストローラー対５１が配置されている。用紙は、レジストローラー対５１にて一旦停止され、スキュー矯正が行われた後、画像転写のための所定のタイミングで、二次転写部３５Ａに送り出される。この他、主搬送路５０Ａには、用紙を搬送するための搬送ローラー５２が複数配置されている。他の搬送路５０Ｂ、５０Ｃ及び５０Ｄも同様である。
【００３４】
水平搬送路５０Ｄの最下流側は、第１排出路７０ａと第２排出路７０ｂとに分岐している。第１排出路７０ａと第２排出路７０ｂの分岐点には切り替えレバー７１が配置され、この切り替えレバー７１の方向によって水平搬送路５０Ｄを流れてきた用紙の排出先が決まる。図１に示すように切り替えレバー７１が実線の位置にあるとき、用紙は第２排出路７０ｂへ送られ、切り替えレバー７１が点線の位置にあるとき、用紙は第１排出路７０ａへ送られる。この切り替えレバー７１は、駆動部（不図示）によって動かされ、駆動部は画像形成装置１の装置全体の動作制御を司る制御部（不図示）によって駆動制御される。
【００３５】
第１排出路７０ａの用紙排出口１０Ｅから出た用紙は、装置本体１０の左側面１０Ｌに配置される後処理装置９へ送り込まれる。尚、後処理装置９が取り付けられない画像形成装置では、用紙排出口１０Ｅの下方に用紙排出トレイが設けられる。
【００３６】
後処理装置９は、装置本体１０に対して後付けで付加されるオプションユニットであって、画像形成後の用紙にパンチング処理やステイプル処理等の後処理を施して排出する装置である。後処理装置９は、用紙排出口１０Ｅに臨み用紙を受け入れる受入口９０１と、後処理のための機構部を内蔵する本体部９１と、処理後の用紙が排出される排出トレイ９２とを備える。
【００３７】
第２排出路７０ｂの用紙排出口１０Ｆには排紙ローラー８２が配置されており、この排紙ローラー８２が装置本体１０の用紙排出口１０Ｆの下方に設置されている排紙トレイ７３に用紙を排出する。画像形成装置１の制御部は、パンチング処理やステイプル処理等の後処理を行わない場合は、切り替えレバー７１を実線の位置にして用紙を第２排出路７０ｂに導き、排出トレイ７３に排出させる。一方、後処理を行う場合、制御部は切り替えレバー７１を点線の位置にして用紙を第１排出路７０ａに導き、後処理装置９へ送り込む。
【００３８】
尚、連続して用紙処理している間（例えば、１０枚のコピー等）に後処理装置９内においてジャムが発生した場合、その時点で制御部は切り替えレバー７１を点線の位置から実線の位置に切り替える。これにより、装置本体１０内を搬送中の用紙は、第２排出路７０ｂへ導かれて排出トレイ７３から排出する。そして、後処理装置９が故障等で動作しないときでも、装置本体１０は停止することなく、制御部は切り替えレバー７１を実線の位置にする。これにより、用紙は故障している後処理装置９に誤って送り込まれることがなく、排出トレイ７３に確実に排出される。
【００３９】
また、装置本体１０の上面１０Ｔであって第２排出路７０ｂの上部にはカバー７４が取り付けられている。このカバー７４は、上方へ開閉自在であり、開姿勢と閉姿勢との間で姿勢変更可能である。尚、図１ではカバー７４は閉姿勢となっている。
【００４０】
第２排出路７０ｂについて詳しく説明する。図２は、第２排出路７０ｂの構造を示す断面図である。図中の矢印Ｙ１は用紙が第２排出路７０ｂへ送り込まれたときの経路であり、矢印Ｙ２は用紙が第１排出路７０ａに送り込まれたときの経路である。第２排出路７０ｂには、駆動ローラーであるローラー８１ａ及び８２ａと、従動ローラーであるローラー８１ｂ及び８２ｂが配置されている。これらのローラーは、第１排出路７０に送り込まれた用紙を用紙排出口１０Ｆに向けて搬送する搬送ローラーである。ローラー８１ａ及び８２ａは不図示のモーターによって回転駆動され、これらのローラーの周回に応じてローラー８１ｂ及び８２ｂが従動する。尚、図１で示した排出ローラー８２はローラー８２ａとローラー８２ｂによって構成されている。
【００４１】
ガイド部材８０は第２排出路７０ｂの上面壁を形成しており、同時にローラー８１ｂ及び８２ｂを覆うフレーム８４も形成している。ローラー８２ｂ及びローラー８１ｂの回転軸はガイド部材８０に固定されており、ガイド部材８０はローラー８１ｂより用紙搬送方向上流側（下方）の位置にある用紙搬送方向と直交する方向に延びる回動軸（不図示）によって装置本体１０側と固定されている。
【００４２】
従来、この第２排出路７０ｂにおいてジャムが発生すると、ユーザーは装置本体１０の左側面１０Ｌ（後処理装置９が設置される側の面）の側面カバーを開放して詰まった紙を取り出していた。つまり、装置本体１０と後処理装置９の接続を解除して後処理装置９を移動した後、側面カバーを開放して紙を取り出すといった動作が必要であり、ジャム処理性が悪かった。
【００４３】
そこで、本実施形態では、第２排出路７０ｂを外部に開放することが可能なカバー７４を装置本体１０の上面に設け、第２排出路７０ｂに詰まった用紙を取り出しやすく改良した構造としている。図３は、カバー７４が開姿勢のときの第２排出路７０ｂの断面図である。同じく、図４はカバー７４が開姿勢のときの斜視図である。カバー７４は装置本体１０の上面１０Ｔの左側における第２排出路７０ｂの上部において、開閉軸７４１を軸として上方へ開閉自在に取り付けられている。また、カバー７４を開けたときの開口部は、ガイド部材８０の上部全体が外部に開放可能なサイズであることが望ましい。
【００４４】
カバー７４を開けた後、図３に示すように、ユーザーがガイド部材８０を矢印Ｙ４の方向（図４で示す矢印Ｙ５の方向）に動かすと、上述したローラー８１ｂより用紙搬送方向上流側にある回動軸を軸としてガイド部材８０が回動する。すると、ローラー８１ａとローラー８１ｂが離間し、ローラー８２ａとローラー８２ｂも離間する。ガイド部材８０を矢印Ｙ４方向に動かしたときの断面図が図５である。図５に示すように、ユーザーがガイド部材８０を回動軸回りに回動することによって、第２排出路７０ｂを外部に開放することができる。
【００４５】
ガイド部材８０と読取ユニット２５との間には空間８３があり、ガイド部材８０はこの空間８３内を許容範囲として移動可能である。この空間８３は、空間８３内をガイド部材８０が移動して第２排出路７０ｂが開放されたときに、ユーザーがこの第２排出路７０ｂに手指を差し入れるためのスペースを確保できるだけの体積を有している。従って、第２排出路７０ｂにジャムが発生した際、ユーザーは、カバー７４を開けてガイド部材８０を移動させることによって第２排出路７０ｂを開きつつ、ジャムの原因となっている用紙を取り除くことができる。
【００４６】
尚、このガイド部材８０は、ローラー８２ａとローラー８２ｂが常に接触する位置（閉じ位置）にあるようにバネ（不図示）等で付勢されている。従って、ユーザーが第２排出路７０ｂから手指を抜くと、バネの付勢によってガイド部材は閉じ位置に向けて戻される。
【００４７】
また、自動原稿給送装置２０の下面におけるカバー７４に対向する角は面取り加工を施している。図６はこの面取り部２９を分かりやすく示した斜視図である。この面取り部２９を設けることによって、自動原稿給送装置２０が閉じた状態の時でもカバー７４の先端縁が自動原稿給送装置２０の角部と干渉しない。従って、自動原稿給送装置２０の開閉に関わらずカバー７４の開閉が行えると共に、カバー７４を開けたときの開口部を広く確保することができ、開口部から第１搬送路７０ａへ手指を入れやすくすることができる。
【００４８】
以上、説明したように装置本体１０の上面であって、第２排出路７０ｂの上部にカバー７４を設け、更にローラー８１ｂより用紙搬送方向上流側に設けた回動軸を軸としてガイド部材８０が回動可能な構成とすることによって、ガイド部材８０が回動するとローラー８１ａとローラー８１ｂ、ローラー８２ａとローラー８２ｂがそれぞれ離間するため、第２排出路７０ｂを外部に開放することができる。従って、第２排出路７０ｂにおいてジャムが発生したときは、ユーザーはカバー７４を開け、ガイド部材８０のローラー８２ｂ側を動かすことによって第２排出路７０ｂを開き、第２排出路７０ｂに停滞している用紙を取り除くことができ、ジャム処理を簡単に行うことができる。
【００４９】
更に、自動原稿給送装置２０の下面におけるカバー７４に対向する角は面取り加工を施すことによって、自動原稿給送装置２０の開閉に関わらずカバー７４の開閉が行えると共に、カバー７４を開けたときの開口部を広く確保することができ、第１搬送路７０ａへ手指を入れやすくすることができる。
【符号の説明】
【００５０】
１      画像形成装置
１０    装置本体
１０Ｅ  用紙排出口（第１用紙排出口）
１０Ｆ  用紙排出口（第２用紙排出口）
２０    自動原稿給送装置（第２装置本体）
２９    面取り部
３０    画像形成部（画像形成手段）
７０ａ  第１排出路（主搬送路）
７０ｂ  第２排出路（副搬送路）
７１    切り替えレバー
７３    排出トレイ
７４    カバー
７４１  開閉軸（開閉支点）
８０    ガイド部材
８１ａ、８１ｂ、８２ａ、８２ｂ  ローラー
８３    空間
８４    フレーム
９      後処理装置
【図１】
0005509115.tif 000002
【図２】
0005509115.tif 000003
【図３】
0005509115.tif 000004
【図４】
0005509115.tif 000005
【図５】
0005509115.tif 000006
【図６】
0005509115.tif 000007